(57)【要約】【課題】複数の無線通信機器を接続する場合であっても、無線通信に関する設定を簡単に行うことができる画像出力システムを提供する。【解決手段】複数の画像出力装置のうち、第１の画像出力装置は、画像出力情報と無線通信に関する情報である無線情報とを含む情報である設定情報を記憶する設定情報記憶部と、自身が利用可能な無線通信識別子を記憶する識別子記憶部と、第１の画像出力装置と複数の画像出力装置のうち第１の画像出力装置とは異なる画像出力装置である第２の画像出力装置とを第２の無線によって接続する際に、識別子記憶部に記憶された無線通信識別子を読み出し、読み出した無線通信識別子によって第２の画像出力装置との通信を確立する通信部と、設定情報記憶部に記憶された設定情報を読み出し、読み出した設定情報を第２の無線によって通信部を介して第２の画像出力装置に送信する制御部と、を有する。【選択図】図１
2010245680.tif 000002
【特許請求の範囲】
【請求項１】
画像供給装置に対して第１の無線によって接続可能な画像出力装置が前記画像供給装置に対して複数台接続可能であるとともに、当該複数台の画像出力装置同士が第２の無線によって接続可能である画像出力システムであって、
前記複数の画像出力装置のうち、第１の画像出力装置は、
画像出力に関する情報である画像出力情報と前記画像供給装置に対して行う無線通信に関する情報である無線情報とのうち少なくともいずれか一方を含む情報である設定情報を記憶する設定情報記憶部と、
自身が利用可能な無線通信識別子を記憶する第１の識別子記憶部と、
前記第１の画像出力装置と前記複数の画像出力装置のうち第１の画像出力装置とは異なる画像出力装置である第２の画像出力装置とを第２の無線によって接続する際に、前記第１の識別子記憶部に記憶された無線通信識別子を読み出し、読み出した無線通信識別子によって第２の画像出力装置との通信を確立する通信部と、
前記設定情報記憶部に記憶された設定情報を読み出し、読み出した設定情報を前記第２の無線によって前記通信部を介して前記第２の画像出力装置に前記通信部によって送信する制御部と、を有し、
前記第２の画像出力装置は、
自身が利用可能な無線通信識別子を記憶する識別子記憶部と、
前記第１の画像出力装置に対し第２の無線によって接続する際に、前記第１の画像出力装置から送信される無線通信識別子を受信し、受信した無線通信識別子が前記識別子記憶部に記憶されている場合に、当該第１の画像出力装置と第２の無線によって接続する通信を確立する通信部と、
前記第１の画像出力装置から送信される設定情報を前記通信部によって受信する制御部と、
前記制御部が前記通信部によって受信した設定情報を記憶する記憶部と、
を有することを特徴とする画像出力システム。
【請求項２】
画像供給装置に対して第１の無線によって接続可能な画像出力装置が前記画像供給装置に対して複数台接続可能であるとともに、当該複数台の画像出力装置同士が第２の無線によって接続可能である画像出力システムにおける画像出力装置であって、
前記複数の画像出力装置のうち、第１の画像出力装置は、
画像出力に関する情報である画像出力情報と前記画像供給装置に対して行う無線通信に関する情報である無線情報とのうち少なくともいずれか一方を含む情報である設定情報を記憶する設定情報記憶部と、
自身が利用可能な無線通信識別子を記憶する識別子記憶部と、
前記第１の画像出力装置と前記複数の画像出力装置のうち第１の画像出力装置とは異なる画像出力装置である第２の画像出力装置とを第２の無線によって接続する際に、前記識別子記憶部に記憶された無線通信識別子を読み出し、読み出した無線通信識別子によって第２の画像出力装置との通信を確立する通信部と、
前記設定情報記憶部に記憶された設定情報を読み出し、読み出した設定情報を前記第２の無線によって前記通信部を介して前記第２の画像出力装置に前記通信部によって送信する制御部と、
を有することを特徴とする画像出力装置。
【請求項３】
前記設定情報記憶部に記憶された設定情報を前記第２の画像出力装置への送信を許可するか否かを表す許可信号の入力を受け付ける入力部を有し、
前記制御部は、前記入力部から入力される送信許可に基づいて、前記第２の画像出力装置へ前記設定情報を前記通信部によって送信する
ことを特徴とする請求項２記載の画像出力装置。
【請求項４】
画像供給装置に対して第１の無線によって接続可能な画像出力装置が前記画像供給装置に対して複数台接続可能であるとともに、当該複数台の画像出力装置同士が第２の無線によって接続可能である画像出力システムにおける画像出力装置であって、
前記複数の画像出力装置のうち、第１の画像出力装置は、
自身が利用可能な無線通信識別子を記憶する識別子記憶部と、
前記第１の画像出力装置と前記複数の画像出力装置のうち第１の画像出力装置とは異なる画像出力装置である第２の画像出力装置とを第２の無線によって接続する際に、前記第２の画像出力装置から送信される無線通信識別子を受信し、受信した無線通信識別子が前記識別子記憶部に記憶されている場合に、当該第２の画像出力装置と第２の無線によって接続する通信を確立する通信部と、
前記第２の画像出力装置に対して設定情報の送信要求を前記通信部を介して行い、当該第２の画像出力装置から送信される設定情報を前記通信部によって受信する制御部と、
前記制御部が前記通信部によって受信した設定情報を記憶する記憶部と、
を有することを特徴とする画像出力装置。
【請求項５】
前記第２の画像出力装置に対し前記設定情報の送信要求の送信を許可するか否かを表す許可信号の入力を受け付ける入力部を有し、
前記制御部は、前記入力部から入力される送信許可に基づいて、前記第２の画像出力装置へ前記設定情報の送信要求を前記通信部によって送信する
ことを特徴とする請求項４記載の画像出力装置。
【請求項６】
画像供給装置に対して第１の無線によって接続可能な画像出力装置が前記画像供給装置に対して複数台接続可能であるとともに、当該複数台の画像出力装置同士が第２の無線によって接続可能である画像出力システムにおける設定情報供給方法であって、
前記複数の画像出力装置のうち、
前記第１の画像出力装置の通信部が、
前記第１の画像出力装置と前記複数の画像出力装置のうち第１の画像出力装置とは異なる画像出力装置である第２の画像出力装置とを第２の無線によって接続する際に、自身が利用可能な無線通信識別子を記憶する第１の識別子記憶部に記憶された無線通信識別子を読み出し、読み出した無線通信識別子によって第２の画像出力装置との通信を確立し、
前記第１の画像出力装置の制御部が、
画像出力に関する情報である画像出力情報と前記画像供給装置に対して行う無線通信に関する情報である無線情報とのうち少なくともいずれか一方を含む情報である設定情報を記憶する設定情報記憶部に記憶された設定情報を読み出し、読み出した設定情報を前記第２の無線によって前記通信部を介して前記第２の画像出力装置に前記通信部によって送信し、
前記第２の画像出力装置の通信部が、
前記第１の画像出力装置に対し第２の無線によって接続する際に、前記第１の画像出力装置から送信される無線通信識別子を受信し、受信した無線通信識別子が自身が利用可能な無線通信識別子を記憶する識別子記憶部に記憶されている場合に、当該第１の画像出力装置と第２の無線によって接続する通信を確立し、
前記第２の画像出力装置の制御部が、
前記第１の画像出力装置から送信される設定情報を前記通信部によって受信し、受信した設定情報を記憶部に記憶する
ことを特徴とする設定情報共有方法。
【発明の詳細な説明】
【技術分野】
【０００１】
本発明は、画像データを基に画像を出力する画像出力装置が、画像データを供給する画像供給装置に対し、複数台接続可能な画像出力システム、画像出力装置、設定情報共有方法に関する。
【背景技術】
【０００２】
近年、プロジェクターの普及が高まっており、プロジェクターにコンピューター等を接続し、コンピューターから画像データ（動画、静止画）を供給し、プロジェクターがそのデータを受けて画像を出力することが行われている。この場合、プロジェクターとコンピューターとが、有線で接続される場合もあるが、近年では無線で接続する場合もある。
無線で接続する場合、コンピューターを操作して、プロジェクターに無線接続に関する設定を行う。例えば、無線接続に関する情報とは、例えば、ＳＳＩＤ（Service Set Identifier）や、ＷＥＰ（Wired Equivalent Privacy）である。下記の引用文献１では、中継装置が、印刷装置等の機器に対して設定を行うことが記載されている。この引用文献１においては、コンピューター側から印刷装置等の機器に対する無線通信に関する設定を行う場合における、有線接続の手間や、コンピューターと印刷装置間の無線通信の一時的な設定の切り替えにかかる手間を省くことができる。
【先行技術文献】
【特許文献】
【０００３】
【特許文献１】特開２００５−１９８１５４号公報
【発明の概要】
【発明が解決しようとする課題】
【０００４】
しかしながら、近年、コンピューターに、無線通信に関する設定が同じであるプロジェクターを複数台接続することが行われつつある。例えば、ＩＥＥＥ８０２．１１無線ＬＡＮ通信機能を持つ無線ＬＡＮ端末装置（例えばプロジェクター）において、同じ無線ＬＡＮ設定で複数の無線ＬＡＮ端末装置（プロジェクター）を利用したい場合、それぞれの機器に同じ設定を行う必要が生じるという手間がかかる。
ＡＯＳＳ（AirStation One-Touch Secure System）、ＷＰＳ（Wi-Fi Protected Setup）等の自動設定システムを用いることも考えられるが、これらに対応する機器が必要となる問題がある。
ＵＳＢメモリ装置（Universal Serial Bus）等の外部デバイスを用いて、各プロジェクターに設定内容をそれぞれコピーすることも考えられるが、外部デバイスが必要となってしまう。
複数のプロジェクターに対し、専用ツールを用いて纏めて遠隔設定する方法もあるが、専用ツールが必要であるとともに、専用ツールと通信をするための設定が必要となってしまう。この設定は、一般に手間がかかる。
【０００５】
本発明は、このような事情に鑑みてなされたもので、その目的は、複数の無線通信機器を接続する場合であっても、無線通信に関する設定を簡単に行うことができる画像出力システム、画像出力装置、設定情報共有方法を提供することにある。
【課題を解決するための手段】
【０００６】
上述した課題を解決するために、本発明は、画像供給装置に対して第１の無線によって接続可能な画像出力装置が前記画像供給装置に対して複数台接続可能であるとともに、当該複数台の画像出力装置同士が第２の無線によって接続可能である画像出力システムであって、前記複数の画像出力装置のうち、第１の画像出力装置は、画像出力に関する情報である画像出力情報と前記画像供給装置に対して行う無線通信に関する情報である無線情報とのうち少なくともいずれか一方を含む情報である設定情報を記憶する設定情報記憶部と、自身が利用可能な無線通信識別子を記憶する第１の識別子記憶部と、前記第１の画像出力装置と前記複数の画像出力装置のうち第１の画像出力装置とは異なる画像出力装置である第２の画像出力装置とを第２の無線によって接続する際に、前記第１の識別子記憶部に記憶された無線通信識別子を読み出し、読み出した無線通信識別子によって第２の画像出力装置との通信を確立する通信部と、前記設定情報記憶部に記憶された設定情報を読み出し、読み出した設定情報を前記第２の無線によって前記通信部を介して前記第２の画像出力装置に前記通信部によって送信する制御部と、を有し、前記第２の画像出力装置は、自身が利用可能な無線通信識別子を記憶する識別子記憶部と、前記第１の画像出力装置に対し第２の無線によって接続する際に、前記第１の画像出力装置から送信される無線通信識別子を受信し、受信した無線通信識別子が前記識別子記憶部に記憶されている場合に、当該第１の画像出力装置と第２の無線によって接続する通信を確立する通信部と、前記第１の画像出力装置から送信される設定情報を前記通信部によって受信する制御部と、前記制御部が前記通信部によって受信した設定情報を記憶する記憶部と、を有することを特徴とする。
【０００７】
また、本発明は、画像供給装置に対して第１の無線によって接続可能な画像出力装置が前記画像供給装置に対して複数台接続可能であるとともに、当該複数台の画像出力装置同士が第２の無線によって接続可能である画像出力システムにおける画像出力装置であって、前記複数の画像出力装置のうち、第１の画像出力装置は、画像出力に関する情報である画像出力情報と前記画像供給装置に対して行う無線通信に関する情報である無線情報とのうち少なくともいずれか一方を含む情報である設定情報を記憶する設定情報記憶部と、自身が利用可能な無線通信識別子を記憶する識別子記憶部と、前記第１の画像出力装置と前記複数の画像出力装置のうち第１の画像出力装置とは異なる画像出力装置である第２の画像出力装置とを第２の無線によって接続する際に、前記識別子記憶部に記憶された無線通信識別子を読み出し、読み出した無線通信識別子によって第２の画像出力装置との通信を確立する通信部と、前記設定情報記憶部に記憶された設定情報を読み出し、読み出した設定情報を前記第２の無線によって前記通信部を介して前記第２の画像出力装置に前記通信部によって送信する制御部と、を有することを特徴とする。
【０００８】
また、本発明は、上述の画像供給装置において、前記設定情報記憶部に記憶された設定情報を前記第２の画像出力装置への送信を許可するか否かを表す許可信号の入力を受け付ける入力部を有し、前記制御部は、前記入力部から入力される送信許可に基づいて、前記第２の画像出力装置へ前記設定情報を前記通信部によって送信することを特徴とする。
【０００９】
また、本発明は、画像供給装置に対して第１の無線によって接続可能な画像出力装置が前記画像供給装置に対して複数台接続可能であるとともに、当該複数台の画像出力装置同士が第２の無線によって接続可能である画像出力システムにおける画像出力装置であって、前記複数の画像出力装置のうち、第１の画像出力装置は、自身が利用可能な無線通信識別子を記憶する識別子記憶部と、前記第１の画像出力装置と前記複数の画像出力装置のうち第１の画像出力装置とは異なる画像出力装置である第２の画像出力装置とを第２の無線によって接続する際に、前記第２の画像出力装置から送信される無線通信識別子を受信し、受信した無線通信識別子が前記識別子記憶部に記憶されている場合に、当該第２の画像出力装置と第２の無線によって接続する通信を確立する通信部と、前記第２の画像出力装置に設定情報の送信要求を前記通信部を介して行い、当該第２の画像出力装置から送信される設定情報を前記通信部によって受信する制御部と、前記制御部が前記通信部によって受信した設定情報を記憶する記憶部と、を有することを特徴とする。
【００１０】
また、本発明は、上述の画像供給装置において、前記第２の画像出力装置に対し前記設定情報の送信要求の送信を許可するか否かを表す許可信号の入力を受け付ける入力部を有し、前記制御部は、前記入力部から入力される送信許可に基づいて、前記第２の画像出力装置へ前記設定情報の送信要求を前記通信部によって送信することを特徴とする。
【００１１】
また、本発明は、画像供給装置に対して第１の無線によって接続可能な画像出力装置が前記画像供給装置に対して複数台接続可能であるとともに、当該複数台の画像出力装置同士が第２の無線によって接続可能である画像出力システムにおける設定情報供給方法であって、前記複数の画像出力装置のうち、前記第１の画像出力装置の通信部が、前記第１の画像出力装置と前記複数の画像出力装置のうち第１の画像出力装置とは異なる画像出力装置である第２の画像出力装置とを第２の無線によって接続する際に、自身が利用可能な無線通信識別子を記憶する第１の識別子記憶部に記憶された無線通信識別子を読み出し、読み出した無線通信識別子によって第２の画像出力装置との通信を確立し、前記第１の画像出力装置の制御部が、画像出力に関する情報である画像出力情報と前記画像供給装置に対して行う無線通信に関する情報である無線情報とのうち少なくともいずれか一方を含む情報である設定情報を記憶する設定情報記憶部に記憶された設定情報を読み出し、読み出した設定情報を前記第２の無線によって前記通信部を介して前記第２の画像出力装置に前記通信部によって送信し、前記第２の画像出力装置の通信部が、前記第１の画像出力装置に対し第２の無線によって接続する際に、前記第１の画像出力装置から送信される無線通信識別子を受信し、受信した無線通信識別子が自身が利用可能な無線通信識別子を記憶する識別子記憶部に記憶されている場合に、当該第１の画像出力装置と第２の無線によって接続する通信を確立し、前記第２の画像出力装置の制御部が、前記第１の画像出力装置から送信される設定情報を前記通信部によって受信し、受信した設定情報を記憶部に記憶することを特徴とする。
【００１２】
以上説明したように、この発明によれば、既に設定情報が記憶された画像出力装置とまだ設定情報が記憶されていない画像出力装置との間で、利用可能な無線識別子で通信できるかを確認した後、既に設定情報が記憶された画像出力装置から、設定情報をまだ記憶されていない画像出力装置に送信するようにした。これにより、設定情報がまだ記憶されていない画像出力装置は、有線や複雑な無線通信の設定を行う等の煩雑な手間を省いて設定情報を共有することができる。
【図面の簡単な説明】
【００１３】
【図１】この発明の一実施形態による画像出力システムの構成を示す概略ブロック図である。
【図２】プロジェクター３０の構成を説明する概略ブロック図である。
【図３】記憶部３１の識別子記憶領域に記憶される無線通信識別子情報の一例である。
【図４】画像出力システムの動作を説明するシーケンス図である。
【図５】第２の実施形態における画像出力システムの動作を説明するシーケンス図である。
【図６】第３の実施形態について説明する概略構成図である。
【図７】第３の実施形態における画像出力システムの動作を説明するシーケンス図である。
【発明を実施するための形態】
【００１４】
以下、本発明の一実施形態による画像出力システムについて図面を参照して説明する。
図１は、この発明の一実施形態による画像出力システムの構成を示す概略ブロック図である。
コンピューター１０は、プロジェクターによって画像を出力する画像データを、アクセスポイント２０を介して無線によって接続されるプロジェクターに送信する。
アクセスポイント２０は、コンピューター１０から出力される各種情報を無線ＬＡＮ接続されるプロジェクターに送信する。
プロジェクター３０は、アクセスポイント２０に無線ＬＡＮによって接続し、コンピューター２０から送信される各種情報を受信する。また、プロジェクター３０は、複数のプロジェクター４０と無線通信を行い、アドホックネットワークを確立する。
プロジェクター４０は、プロジェクター４０と無線通信を行ってアドホックネットワークを隔離する無線通信機能と、アクセスポイント２０に接続してコンピューター１０と無線通信を行う無線通信機能とを有する。
【００１５】
図２は、プロジェクター３０の構成を説明する概略ブロック図である。
この図において、記憶部３１は、設定情報を記憶する。この設定情報は、画像出力情報と無線通信識別子情報とを含む。また、記憶部３１は、画像出力の設定に関する情報である画像出力情報を記憶する画像出力情報記憶領域と、無線通信識別子を表す無線通信識別子情報を含む無線情報を記憶する無線情報記憶領域とを含む。
画像出力情報は、例えば、輝度、コントラスト等の画像を出力する際の画質に関する情報である。
無線情報は、例えば、通信を行う周波数、無線通信識別子（ＳＳＩＤ）、セキュリティキー等に関する情報である。
通信部３２は、アクセスポイント２０に対して無線ＬＡＮ通信を行って通信を確立する機能と、アクセスポイント２０とは異なる無線通信であってプロジェクター４０とアドホックネットワークにて通信を確立する機能とを有する。
制御部３３は、アクセスポイント２０に接続し、設定情報と無線通信識別子を受信して記憶部３１に記憶する機能と、記憶部３１に記憶される情報を、通信部３２のアドホックネットワークの接続機能によってプロジェクター４０に接続して送信する機能とを有する（詳細は後述する）。
【００１６】
図３は、記憶部３１の識別子記憶領域に記憶される無線通信識別子情報の一例である。この無線通信識別子情報は、識別子情報ＩＥＥＥ８０２．１１シリーズの無線ＬＡＮ通信で用いられる識別子であるＳＳＩＤと、優先度が対応付けられた情報である。
なお、図３の構成については、プロジェクター４０についても同様の構成を有している。ただし、制御部の動作が異なる（後述する）。
【００１７】
〈第１の実施形態  マスター側からスレーブ側へ設定情報を設定〉
次に、上述した画像出力システムの動作について説明する。図４は、画像出力システムの動作を説明するシーケンス図である。
ここでは、プロジェクター３０には、設定情報と無線通信識別子情報が記憶されてあり、このプロジェクター３０に記憶された設定情報を他のプロジェクターであるプロジェクター４０に、無線ＬＡＮデバイス以外の通信手段や外部記憶機器などを用いずに記憶させる場合について説明する。
この実施形態においては、設定情報をコピーしたい機器同士が現在の無線接続を一時切断し、情報交換用にあらたに無線ＬＡＮアドホックネットワークを構築して、設定情報を交換する場合について説明する。
【００１８】
まず、プロジェクター３０の制御部３３は、アクセスポイント２０と無線通信を行って各種情報の送受信を行った後、アクセスポイント２０との無線ＬＡＮ通信を切断し（ステップＳ１０１）、アドホックネットワーク通信の接続を開始する（ステップＳ１０２）。このとき、プロジェクター３０制御部３３は、記憶部３１に記憶された無線通信識別子を参照して、いずれかのＳＳＩＤを選択する（ステップＳ１０３）。ここでは、例えば、優先度が一番低い優先度４であるＳＳＩＤ「１００３」が選択される。また、ここで、プロジェクター３０の制御部３３は、選択されたＳＳＩＤが、自身のアドホックネットワーク通信が可能なエリア内において既に利用されているか否かを、周囲において通信されているアドホックネットワークの電波を受信し、そのＳＳＩＤを参照することによって検出する。検出した結果、選択されたＳＳＩＤが既に使用されている場合には、制御部３３は、記憶部３１を参照し、既に使用されているＳＳＩＤよりも高いＳＳＩＤを検索して選択する。例えば、優先度が３であるＳＳＩＤ「１００２」が選択される。そして、プロジェクター３０は、このＳＳＩＤで通信要求の信号を周囲に発信する。
【００１９】
一方、プロジェクター３０の近傍に設置されたプロジェクター４０の制御部は、ＳＳＩＤの監視を行う（ステップＳ１０４）。この監視は、プロジェクター４０は、常時行うか、あるいはユーザから監視の指示が入力デバイスを介して入力された場合に行う。そして、プロジェクター４０の制御部は、自身の記憶部３１に記憶された無線通信識別子情報を参照し、その無線通信識別子情報に記憶されたいずれかのＳＳＩＤでの通信要求があるかを検出する。そして、プロジェクター４０の制御部は、自身の記憶部に記憶されたＳＳＩＤ「１００２」が検出されると、このＳＳＩＤに接続する（ステップＳ１０６）。ここでは、プロジェクター４０は、現在ＳＳＩＤを用いてアドホックネットワークを構築していたとしても、新たに発見されたＳＳＩＤに接続をし直す。
【００２０】
プロジェクター４０の制御部は、新たに接続したＳＳＩＤを用いたアドホックネットワーク内において、プロジェクターを検索し、プロジェクター３０を検出し、このプロジェクター３０とアドホックネットワークを確立する（ステップＳ１０７）。そして、プロジェクター４０の制御部は、自身がスレーブであるので、接続先であるプロジェクター３０に対し、設定情報の送信要求を送信する（ステップＳ１０８）。プロジェクター３０の制御部３３は、プロジェクター４０から設定情報の要求を受信すると（ステップＳ１０９）、記憶部から設定情報を読み出して、プロジェクター４０に送信する（ステップＳ１１０）。
【００２１】
プロジェクター４０の制御部は、プロジェクター３０から設定情報を受信すると、受信した設定情報を自身の記憶部内に記憶する（ステップＳ１１１）。そして、プロジェクター３０との通信を切断し、この記憶された設定情報を用いてアクセスポイント２０に無線接続する（ステップＳ１１２）。ここでは、設定情報に含まれる無線通信の周波数や、アクセスポイント２０と通信を行うために必要なセキュリティのためのセキュリティキーを用いて通信を確立する。
【００２２】
一方、プロジェクター記憶が行われていないプロジェクター４０がある場合にはプロジェクター４０についても上述の処理と同様に、設定情報の設定が行われる（ステップＳ１０５、ステップＳ１１４〜ステップＳ１１９））。
【００２３】
プロジェクター３０の制御部３３は、ステップＳ１０１から一定時間が経過した場合、あるいは、入力デバイスを介してユーザから終了の指示が入力されると、アドホックネットワークを切断し（ステップＳ１２０）、アクセスポイント２０との通信を再開して復元する（ステップＳ１２１）。
【００２４】
〈第２の実施形態  スレーブ側からへマスター側へ設定情報を提供〉
次に、第２の実施形態について説明する。図５は、第２の実施形態における画像出力システムの動作を説明するシーケンス図である。第１の実施形態においては、マスター側のプロジェクター３０からスレーブ側のプロジェクター４０に対して、設定情報を送信する場合について説明したが、ここでは、スレーブ側のプロジェクター３０に記憶された設定情報をプロジェクター３０に設定する場合について説明する。
まず、プロジェクター３０の制御部３３は、アクセスポイント２０に接続している無線ＬＡＮを切断し（ステップＳ２０１）、情報共有用無線ＬＡＮ（アドホックネットワーク）を構築する（ステップＳ２０２）。そして、次にプロジェクター３０の制御部３３は、記憶部３１に記憶されたＳＳＩＤの中から選択し（ステップＳ２０３）、選択されたＳＳＩＤを基に接続する。
【００２５】
一方、プロジェクター４０は、自身のアドホックネットワーク接続する領域内において送受信されるＳＳＩＤを監視し（ステップＳ２０４）、自身の記憶部に記憶されているＳＳＩＤに一致するものがあるか否かを判定する。一致するものがあれば、そのＳＳＩＤに接続を開始する（ステップＳ２０５）。ここでは、プロジェクター４０の制御部は、プロジェクター３０に接続する。また、プロジェクター４０の制御部は、現在ＳＳＩＤを用いてアドホックネットワークを構築していたとしても、新たに発見されたＳＳＩＤに接続をし直す。
そして、プロジェクター４０の制御部は、新たに接続したＳＳＩＤを用いたアドホックネットワーク内において、プロジェクターを検索することによって、プロジェクター３０を検出し、このプロジェクター３０とアドホックネットワークを確立する（ステップＳ２０６）。
アドホックネットワークが確立すると、プロジェクター３０の制御部３３は、プロジェクター４０に対し、設定情報の送信を要求する（ステップＳ２０７）。ここで、プロジェクター４０の制御部は、自身がスレーブであるが、接続先であるプロジェクター３０からの設定情報の送信要求に対応して、設定情報の送信要求を受信する（ステップＳ２０８）。そして、プロジェクター４０の制御部は、プロジェクター３０から設定情報の要求を受信すると、記憶部に記憶された設定情報を読み出して、プロジェクター３０に送信する（ステップＳ２０９）。
【００２６】
プロジェクター３０の制御部３３は、プロジェクター４０から送信される設定情報を受信すると、受信した設定情報を記憶部３１に記憶する（ステップＳ２１０）。プロジェクター３０の制御部３３は、アドホックネットワークを切断し、記憶部３１に記憶された設定情報に従って、アクセスポイント２０に無線ＬＡＮによって接続する（ステップＳ２１１）。ここでは、設定情報に含まれる無線通信の周波数や、アクセスポイント２０と通信を行うために必要なセキュリティのためのセキュリティキーを用いて通信を確立する。
プロジェクター４０の制御部は、ステップＳ２０６から一定時間が経過した場合、あるいは、入力デバイスを介してユーザから終了の指示が入力されると、アドホックネットワークを切断し（ステップＳ２１２）、アクセスポイント２０との通信を再開して復元する（ステップＳ２１３）。
【００２７】
なお、上述の実施形態において、アドホックネットワークを確立し、設定情報を一方のプロジェクターから他方のプロジェクターに送信する場合について説明したが、送信する情報は、設定情報の他の情報であってもよい。
【００２８】
次に、第３の実施形態について説明する。この実施形態においては、ユーザの指示が入力されることをトリガとして設定情報の送信をする場合について説明する。
図６は、第３の実施形態について説明する概略構成図である。
既設定プロジェクタ３００は、記憶装置３０４に記憶されることにより既に設定が完了している情報を未設定プロジェクタ４００に送信する機能を有する。設定取得ボタン３０１は、他のプロジェクターから送信される設定情報を受信して記憶装置３０４に書き込む許可の入力を受け付ける。設定譲渡ボタン３０２は、記憶装置３０４に記憶された設定情報を他のプロジェクターに送信してコピーする許可の入力を受け付ける。無線ＬＡＮデバイス３０３は、アドホックネットワークによって他のプロジェクターと無線通信を行う。
記憶装置３０４は、設定情報を記憶する。ここでは、画像出力情報と無線情報とが含まれる。ここでは、無線情報に、アクセスポイントとの通信を行う際の設定である「現在の設定」（以下、主無線接続情報ともいう）、アドホックネットワークを構築してプロジェクター間において設定情報の送信あるいは受信を行う際の無線接続をする設定である設定交換用情報とが含まれる。
制御装置３０５は、装置各部を制御する（詳細は後述する）。
【００２９】
未設定プロジェクター４００は、記憶装置４０４に設定情報がまだ記憶されておらず、既設定プロジェクター３００から送信される設定情報を受信して記憶装置４０４に記憶する場合について、説明する。設定取得ボタン４０１は、他のプロジェクターから送信される設定情報を受信して記憶装置４０４に書き込む許可の入力を受け付ける。設定譲渡ボタン４０２は、記憶装置４０４に記憶された設定情報を他のプロジェクターに送信してコピーする許可の入力を受け付ける。無線ＬＡＮデバイス４０３は、アドホックネットワークによって他のプロジェクターと無線通信を行う。記憶装置４０４は、設定情報を記憶する。ここでは、画像出力情報と無線情報とが含まれる。制御装置４０５は、装置各部を制御する。また、制御装置４０５は、設定取得ボタン４０１が押下されると、接続先として予め決められたＳＳＩＤ：ＰＪＳＥＴＵＰに接続する。
【００３０】
次に、上述した構成における画像出力システムの動作を図６、図７を用いて説明する。図７は、第３の実施形態における画像出力システムの動作を説明するシーケンス図である。
ここでは、既設定プロジェクター３００には、既に設定情報が記憶装置３０４に記憶されているものとして説明する。
ユーザによって設定譲渡ボタン３０２が押下されると、既設定プロジェクター３００の制御装置３０５は、設定譲渡ボタン３０２の押下を検出し（図６ステップＳ３０１、図７ステップＳ４０１）、これにより、現在接続している無線ＬＡＮの通信（例えば、アクセスポイントとの通信）を切断する（図６ステップＳ３０２、図７ステップＳ４０２）。
無線ＬＡＮが切断されると、既設定プロジェクター３００の制御装置３０５は、記憶装置３０４に記憶された設定交換用情報を読み出し（図６ステップＳ３０３、図７ステップＳ４０３）、無線ＬＡＮデバイス内のメモリに一時記憶してセットする（図６ステップＳ３０４、図７ステップＳ４０４）。この場合、ＳＳＩＤ：ＰＪＳＥＴＵＰでアドホッククリエータになる。
【００３１】
設定交換用情報のセットが完了すると、ユーザは、設定交換用情報をコピーしたい先であるプロジェクターすなわち、未設定プロジェクター４００の設定取得ボタン４０１を押下する。
ユーザによって設定取得ボタン４０１が押下されると、未設定プロジェクター４００の制御装置４０５は、設定取得ボタン４０１の押下を検出する（図６ステップＳ３０５、図７ステップＳ４０５）。そして、設定取得ボタン４０１の押下を検出すると、未設定プロジェクター４００の制御装置４０５は、無線ＬＡＮデバイス４０３に、ＳＳＩＤ：ＰＪＳＥＴＵＰに接続するように指示する（図６ステップＳ３０６、図７ステップＳ４０６）。
無線ＬＡＮデバイス４０３は、ＳＳＩＤ：ＰＪＳＥＴＵＰに接続し、既設定プロジェクター３００の無線ＬＡＮデバイス３０３から送信される主無線接続情報を受信する（図６ステップＳ３０７、図７ステップＳ４０７）。
【００３２】
設定交換用情報を受信すると、制御装置４０５は、受信した主無線接続情報を記憶装置４０４に記憶する（図６ステップＳ３０８、図７ステップＳ４０８）。そして、制御装置４０５は、この記憶された主無線接続情報に応じて無線ＬＡＮデバイス４０３の設定を行う（図６ステップＳ３０９、図７ステップＳ４０９）。例えば、未設定プロジェクター４００にＢａｎｄ値が５ＧＨｚの３４ｃｈであることが設定されていたが、この設定が行われると、Ｂａｎｄ値が２．４ＧＨｚの１ｃｈに設定が変更されて、この設定に従って無線通信が行われる。
【００３３】
以上説明した第３の実施形態によれば、既設定プロジェクター３００の設定譲渡ボタン３０２を押下した後、未設定プロジェクター４００において、同じ内容を設定したい対象の未設定プロジェクター４００の設定取得ボタン４０１を順次押下していくだけで、アクセスポイントに対する無線通信の条件が、全てが同じネットワークに接続することができる。
【００３４】
なお、上述した第３の実施形態においては、既設定プロジェクター３００におけう設定譲渡ボタン３０２が押下されると、設定情報を他のプロジェクターに送信することができるモードに移行する。これにより、他のプロジェクターの設定取得ボタン４０１が押下される毎に、そのプロジェクターに設定情報を送信する。すなわち、譲渡ボタン３０２は１度押すだけで、設定取得ボタン４０１が押下される複数台のプロジェクターに設定情報をそれぞれ渡すことが可能になる。そして、設定情報の送信が終了したら、設定譲渡ボタン３０２がもう１度押下されるか、あるいは、既設定プロジェクター３００に別途設けられる解除ボタンが押下されると、設定情報の送信を停止する。これにより、他のプロジェクターにおいて設定取得ボタン４０１が押下されたとしても、設定情報は送信しない。
【００３５】
なお、第３の実施形態において、既設定プロジェクター３００において設定譲渡ボタン３０２が押下されたのちに、未設定プロジェクター４００の設定取得ボタン４０１が押下された場合に、設定情報を送信する場合について説明した。しかし、未設定プロジェクター４００の設定取得ボタン４０１が押下されることにより、設定情報の取得要求を既設定プロジェクター３００に送信し、既設定プロジェクター３００において設定譲渡ボタン３０２が押下されると、設定情報が、未設定プロジェクター４００に送信するようにしてもよい。
【００３６】
以上説明した実施形態によれば、無線ＬＡＮのみを用いて近距離にある複数の無線機器に対し、同じ設定情報を簡単に受け渡すことができる。このように、同一の設定情報を簡単に受け渡すことができるので、同じ設定条件に従い、アクセスポイントと各プロジェクターとを接続し、アクセスポイントを介してコンピューターから供給される画像（あるいは音声）を受信して出力することができる。
【００３７】
また、図１におけるプロジェクター３０、プロジェクター４０、図６既設定プロジェクタ３００、未設定プロジェクター４００の機能を実現するためのプログラムをコンピュータ読み取り可能な記録媒体に記録して、この記録媒体に記録されたプログラムをコンピューターシステムに読み込ませ、実行することにより設定情報の譲渡を行ってもよい。なお、ここでいう「コンピューターシステム」とは、ＯＳや周辺機器等のハードウェアを含むものとする。
【００３８】
また、「コンピューターシステム」は、ＷＷＷシステムを利用している場合であれば、ホームページ提供環境（あるいは表示環境）も含むものとする。
また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピューターシステム内部の揮発性メモリのように、一定時間プログラムを保持しているものも含むものとする。また上記プログラムは、前述した機能の一部を実現するためのものであっても良く、さらに前述した機能をコンピューターシステムにすでに記録されているプログラムとの組み合わせで実現できるものであってもよい。
【００３９】
以上、この発明の実施形態について図面を参照して詳述してきたが、具体的な構成はこの実施形態に限られるものではなく、この発明の要旨を逸脱しない範囲の設計等も含まれる。
【符号の説明】
【００４０】
１  画像出力システム
１０  コンピューター
２０  アクセスポイント
３０、４０  プロジェクター
３１  記憶部
３２  通信部
３３  制御部
３０１、４０１  設定取得ボタン
３０２、４０２  設定譲渡ボタン
３０３、４０３  無線ＬＡＮデバイス
３０４、４０４  記憶装置
３０５、４０５  制御装置
【図１】
2010245680.tif 000003
【図２】
2010245680.tif 000004
【図３】
2010245680.tif 000005
【図４】
2010245680.tif 000006
【図５】
2010245680.tif 000007
【図６】
2010245680.tif 000008
【図７】
2010245680.tif 000009